(57)【要約】【課題】地震等の緊急災害時において、迅速に、かつ、一人であっても患者等を早急に避難させることを可能にするためのレスキューシートを提供することを目的とする。【解決手段】マットレス８を載せるためのシート１と、前記マットレスをその四隅部で前記シートに固定するための固定バンド２と、前記マットレスを病人等と共に前記シートに固定するための固定ベルト３と、前記固定ベルトを仮止めするための止め輪７と、前記シートの四周縁部に複数の取手部４を、有することを特徴とするレスキューシート。【選択図】図１
0003125691.tif 000002
【実用新案登録請求の範囲】
【請求項１】
マットレスを載せるためのシートと、
前記マットレスをその四隅部で前記シートに固定するための固定バンドと、
前記マットレスを病人等と共に前記シートに固定するための開閉自在の固定ベルトと、
前記固定ベルトを仮止めするための止め輪と、
前記シートの四周縁部に複数の取手部を、有することを特徴とするレスキューシート。
【請求項２】
前記固定バンドの材質がゴムであり、前記固定ベルトの材質が面ファスナーであることを特徴とする請求項１記載のレスキューシート。
【請求項３】
前記シートの形状が長方形であり、
前記シートの材質がポリアミド繊維をシリコンコーティングしたものであることを特徴とする請求項１記載のレスキューシート。
【考案の詳細な説明】
【技術分野】
【０００１】
本考案は、緊急避難時に使用されるレスキューシートに関するものである。
【背景技術】
【０００２】
地震や火災等の災害が発生した場合、病院等にいる患者を緊急避難させることが必要となる。このような場合に、患者を搬出するためにレスキューシートと呼ばれるシートが従来から使用されてきた。
【０００３】
例えば、特許文献１に従来のレスキューシートに係る考案の一例が記載されている。該考案を図９、図１０、図１１を参照しながら以下に説明する。
【０００４】
図９は、引例考案に係るレスキューシートの平面図、図１０はその断面図、そして、図１１はレスキューシートを寝袋として利用している状態を示す説明図である。
【０００５】
図９において、レスキューシート１は、長辺と短辺の比が２：１の長方形をしており、同一構成の第１の複合シート２１及び第２の複合シート２２から構成されている。また、第１の複合シート２１には、当該第１の複合シート２１をその厚さ方向に切断している所定長さの切り込み２４が形成されている。さらに、図において網掛け状態で示す四周縁部分２５には、各短辺において２本、各長辺において４本の持ち手用の切り込み６０が形成されている。これらの切り込みは、第１及び第２の複合シート２１、２２をそれらの厚さ方向に切断している所定長さの切り込みである。
【０００６】
本例のレスキューシート２０は寝袋として用いることができる。すなわち、切り込み２４に足から入ると、図１１に示すように、第１及び第２の複合シート２１、２２の間に入り込むことができ、寝袋として用いることができる。
【０００７】
また、けが人などを乗せるための担架として用いることができる。この場合には、レスキューシート２０に人を乗せ、例えば、左右から二人の人が、長辺縁部分に形成されている持ち手用の切り込み６０に手を差し込み、当該部分を握ることにより、簡単に、人を乗せたレスキューシート２０を持ち上げて運ぶことができる。勿論、荷物を乗せて運ぶことも可能である。
【特許文献１】実用新案登録第３１１４８２８号公報
【考案の開示】
【考案が解決しようとする課題】
【０００８】
しかし、上記のレスキューシートでは以下のような問題点があった。
【０００９】
すなわち、災害が発生した場合、まず病人等をベッドからレスキューシートに移動させなければならないため、時間がかかり、また一人ではできないため複数の人手を必要とする。また、地震等の緊急避難時においては、例えば病院の２階にいる患者を１階に避難させなければならないが、エレベータが停止してしまっている場合も多く、一人で患者を１階に避難させることは困難であった。
【００１０】
更に、２階から１階に降りるためには階段を使用しなければならないが、この場合も、当然二人以上の人手が必要であった。緊急事態発生時は、通常人手が足りないのが普通であり、患者を救出できない事態も想定される。
【００１１】
本考案は、上記問題点を解消するためになされたものであり、地震等の緊急災害時において、一人であっても、患者等を早急に避難させることを可能にするためのレスキューシートを提供することを目的とする。
【課題を解決するための手段】
【００１２】
本考案は、上述の目的を達成するため、以下（１）〜（３）の構成を備えるものである。
【００１３】
（１）マットレスを載せるためのシートと、
前記マットレスをその四隅部で前記シートに固定するための固定バンドと、
前記マットレスを病人等と共に前記シートに固定するための開閉自在の固定ベルトと、
前記固定ベルトを仮止めするための止め輪と、
前記シートの四周縁部に複数の取手部を、有することを特徴とするレスキューシート。
【００１４】
（２）前記固定バンドの材質がゴムであり、前記固定ベルトの材質が面ファスナーであることを特徴とする前記（１）記載のレスキューシート。
【００１５】
（３）前記シートの形状が長方形であり、
前記シートの材質がポリアミド繊維をシリコンコーティングしたものであることを特徴とする前記（１）記載のレスキューシート。
【考案の効果】
【００１６】
上記の構成を備えることにより、本考案のレスキューシートを使用すれば、地震等の災害時に病人等をマットレス、布団等で包んだ状態のままレスキューシートに固定することで、病人等をベッドから下ろしレスキューシートに載せるという作業が不要になり、迅速に搬送態勢を作ることができる。また、搬送経路が廊下であっても、また階段であっても一人で搬送できることとなる。
【考案を実施するための最良の形態】
【００１７】
以下に、本考案を実施するための最良の形態を、実施例により詳しく説明する。
【実施例】
【００１８】
図１は本考案に係るレスキューシートを表した斜視図である。
【００１９】
本レスキューシート１０は、シート１を基本としている。その形状及び大きさは病院の病室で使用される病人用マットレスとほぼ同一であるとする。本シートの四縁部は、折り返し部１ａで折り返されている。また、シートの材質は病人を載せて引きずった場合によく滑る材質であり、また水等を通さない防水性ものであるとする。例えば、ポリアミド繊維でシリコンコーティングされたものが好適である。
【００２０】
本レスキューシートには、その四隅にマット固定バンド２が取り付けられている。このバンドは、マットレスを本レスキューシートに固定するためのものであり、その材質としては帯状のゴム紐が好ましい。レスキューシートにマットを装着した状態については、後述する。
【００２１】
次に、本レスキューシートには、固定用ベルト右３ａと固定用ベルト左３ｂがそれぞれ２個、図のように折り畳まれた状態でベルト用止め輪７によりシート１に固定されている。この固定用ベルトは、緊急避難時に病人をマット、布団等とともに本レスキューシートに固定するためのものである。この固定ベルトを展開した状態を、図４に示す。
【００２２】
本図において、９ａは面ファスナーのループ面を示し、９ｂはフック面を示す。これらループ面とフック面は、一方がベルトの上面に備えられた場合には、他方は下面に備えられるものとする。
【００２３】
最後に、シート１にはその長辺縁部に短取手４が各２個、短辺縁部に中取手５が各２個、長取手６が各１個ずつ備えられている。これらの取手はすべて緊急避難時の搬送に使用するためのものである。具体的な使用方法については後述する。
【００２４】
次に、本考案のレスキューシートの具体的な使用方法を以下に記載する。
【００２５】
まず、本レスキューシートの設置方法であるが、図２に示したようにマットレス８をレスキューシート１０の上に載せた後に、四隅をマット固定用バンド２を使って固定する。前記したようにこのマット固定用バンド２は、帯状のゴム紐であるため伸縮自在であり、容易にマットレスを固定できる。
【００２６】
この場合、図３に示したように、固定用ベルト右３ａと固定用ベルト左３ｂがマットの縁からはみ出るようにしておく。こうすれば緊急時に、すぐにこれらベルトを引き出すことができ、早急な避難に資することとなる。レスキューシートにマットレスを固定した後は、更にその上に布団、毛布等を敷いて病人が寝ることになる。
【００２７】
緊急時の本レスキューシートの使用方法について述べる。
【００２８】
地震等の災害が発生した場合には、図５に示すように、まず病人を固定用ベルト３ａ、３ｂを使ってレスキューシートに固定する。固定の手順としては、マットレスの上に寝ている病人が布団、毛布をかぶったままで、かつ、頭部には枕等のクッションを当てた状態のままで、固定ベルト３ａ、３ｂの先端を引っ張り出す（図３参照）。この場合、固定ベルトが面ファスナーである場合には、そのループ面とフック面を合わせるだけで固定が可能である。固定ベルトが左右２個ずつある場合には、交叉させて結んでもよいし、平行に結んでもよい。
【００２９】
このように、病人をマットレス、布団等で包んだ状態でレスキューシートに固定することで、わざわざ病人をベッドから下ろしレスキューシートの上に載せるという作業が不要になる結果、迅速に搬送態勢を作るこがでる。また、マットレス等を緩衝材として活用することができる。
【００３０】
病人の固定が終了したら、図６に示したように病人をベッドから床に下ろす。この際、ベッドの高さをできるだけ低くする。病人に加わる衝撃力を軽減するためである。また、病人の頭部には、柔らかいクッション１１を当てておくと良い。
【００３１】
下ろす際には、レスキューシートに包まれた病人を本レスキューシートの中取手５、長取手６を掴みながらベッド上を滑らせる。勿論、病人に対する衝撃力を緩和するため、短取手４や反対側の中取手５、長取手６を、もう一人の作業者が掴んで補助しても良い。
【００３２】
病人をベッドから降ろし終えたら、図７に示すような状態で病人を廊下の上を出口まで、またエレベータが動いている場合はエレベータの入口まで搬送する。搬送者の負荷を軽減するため、病人の足元側の中取手５、長取手６を持って搬送すれば安定的な搬送が可能となる。また、本レスキューシートの底面側は滑りやすい表面状態であるため、搬送者が一人でも楽に搬送ができる。
【００３３】
階段を使用した際の本レスキューシートの使用状態を図８に示す。この場合も、病人の足元側の取手５、６を持って搬送すれば安全である。階段の段差の衝撃は、病人と共に包まれたマット等により緩和され、病人に対する負荷が軽減される。このように、本レスキューシートを使用すれば、階段であっても病人を一人で搬送することが可能となり、特にエレベータが停止した場合に大きな効果を発揮する。
【００３４】
上記したように、本レスキューシートを使用すれば、地震等の災害時に病人等をマットレス、布団等で包んだ状態でレスキューシートに固定することで、病人等をベッドから下ろしてレスキューシートに載せる必要がなく迅速に搬送態勢を作ることができる。また、搬送経路が廊下であっても、また階段であっても一人で搬送できる。その結果、災害時の迅速かつ省力化された病人等の搬送が可能となる。
【図面の簡単な説明】
【００３５】
【図１】本考案に係るレスキューシートを表す斜視図
【図２】本考案に係るレスキューシートを使ってマットレスを固定した状態を表す図
【図３】図２のＡ側から見た図
【図４】本考案に係るレスキューシートの固定用ベルト３ａ、３ｂを展開した状態を表す図
【図５】本考案に係るレスキューシートに病人を固定している状態を示す図
【図６】本考案に係るレスキューシートを使って、避難時に病人をベッドから下ろしている状態を示す図
【図７】本考案に係るレスキューシートを使って、避難時に病人を廊下で搬送している状態を示す図
【図８】本考案に係るレスキューシートを使って、避難時に病人を階段で搬送している状態を示す図
【図９】従来例のレスキューシートを表す平面図
【図１０】図９のｂ−ｂ断面を表す図
【図１１】従来例のレスキューシートを寝袋として利用した状態を示す図
【符号の説明】
【００３６】
１  シート
１ａ  折り返し
２  マット固定バンド
３ａ  固定用ベルト右
３ｂ  固定用ベルト左
４  短取手
４ａ、５ａ、６ａ  固定部
５  中取手
６  長取手
７  ベルト用止め輪
８  マットレス
９ａ  固定ベルトのループ面
９ｂ  固定ベルトのフック面
１０  レスキューシート
１１  クッション
２０  従来のレスキューシート
２１  複合シート
２２  複合シート
２４  切り込み
２５  四周縁部分
６０  切り込み
【図１】
0003125691.tif 000003
【図２】
0003125691.tif 000004
【図３】
0003125691.tif 000005
【図４】
0003125691.tif 000006
【図５】
0003125691.tif 000007
【図６】
0003125691.tif 000008
【図７】
0003125691.tif 000009
【図８】
0003125691.tif 000010
【図９】
0003125691.tif 000011
【図１０】
0003125691.tif 000012
【図１１】
0003125691.tif 000013